(57)【要約】【課題】消費者に直接的に提供可能な医療用具のための販売促進支援用具が必要とされている。【解決手段】本発明は、医療用具の少なくとも1つの特徴に実質的に類似した少なくとも1つの特徴を有する、実質的に平坦なプラスチックフィルムサンプルを備えた、販売促進支援用具に関する。この販売促進支援用具は直接消費者に送ることができる。【選択図】なし【特許請求の範囲】
【請求項１】
販売促進支援用具において、
医療用具の少なくとも1つの特徴に実質的に類似した少なくとも1つの特徴を有する、実質的に平坦なプラスチックフィルムサンプル、
を備えた、販売促進支援用具。
【請求項２】
請求項１に記載の販売促進支援用具において、
前記フィルムサンプルは、鋭角端部を持たない、販売促進支援用具。
【請求項３】
請求項１に記載の販売促進支援用具において、
前記フィルムサンプルの面積は、約１００ｍｍ2〜２０，０００ｍｍ2である、販売促進支援用具。
【請求項４】
請求項１に記載の販売促進支援用具において、
前記フィルムサンプルの面積は、約１００ｍｍ2〜約６，０００ｍｍ2である、販売促進支援用具。
【請求項５】
請求項１に記載の販売促進支援用具において、
前記フィルムサンプルの厚さは、前記医療用具と同様である、販売促進支援用具。
【請求項６】
請求項１に記載の販売促進支援用具において、
前記フィルムサンプルの厚さは、約５０〜約３００μｍである、販売促進支援用具。
【請求項７】
請求項１に記載の販売促進支援用具において、
前記フィルムサンプルは、水和されている、販売促進支援用具。
【請求項８】
請求項１に記載の販売促進支援用具において、
前記医療用具は、眼科用具である、販売促進支援用具。
【請求項９】
請求項８に記載の販売促進支援用具において、
前記医療用具は、コンタクトレンズである、販売促進支援用具。
【請求項１０】
請求項１に記載の販売促進支援用具において、
前記フィルムサンプルを格納するポーチ、
をさらに備えた、販売促進支援用具。
【請求項１１】
請求項８に記載の販売促進支援用具において、
前記ポーチは、雑誌の折り込み、絵葉書、もしくは手紙、に着脱可能に付けられた、販売促進支援用具。
【請求項１２】
請求項８に記載の販売促進支援用具において、
複数の前記ポーチがディスプレイ装置に格納された、販売促進支援用具。
【請求項１３】
請求項１に記載の販売促進支援用具において、
前記医療用具は、取扱規制の下で提供され、前記販売促進支援用具は、消費者に直接送られる、販売促進支援用具。
【発明の詳細な説明】
【開示の内容】
【０００１】
〔発明の分野〕
本発明は、取扱規制の下で販売されるべきプラスチック製品のための販売促進支援用具に関し、特にコンタクトレンズに関する。
【０００２】
〔発明の背景〕
多くの医療用具は取扱規制の下でのみ販売が可能である。これは、コンタクトレンズなどの医療用具について、潜在的にコンタクトレンズに関心のある消費者は、免許を持った眼の健康に関する専門家からのみレンズを入手できることを意味する。
【０００３】
この数年、高酸素透過性やより一層の潤滑性など固有の性質を持つ材料を含む多くの新しいコンタクトレンズ製品が発表されている。特に感触や着け心地などの特徴は、サンプルなしで消費者に伝えることは困難である。従来のコンタクトレンズ製造会社は、消費者がコンタクトレンズを手に取れる（しかし、眼に装着することはできない）スポンサーのブースを設置してきた。しかしながら、これらのブースには免許を有する検眼士を配置して、消費者が手に取ったレンズを装着しないように配慮しなければならない。したがって、消費者に直接的に提供可能な医療用具のための販売促進支援用具が必要とされている。
【０００４】
〔発明の概要〕
本発明は、消費者に直接提供可能な医療用具のための販売促進支援用具に関する。より具体的には、本発明は、医療用具の着け心地と実質的に同様の着け心地を具備する、実質的に平坦なプラスチックフィルムサンプルを含む販売促進支援用具に関し、1つの実施例においては、コンタクトレンズなどの眼科用具に関する。
【０００５】
〔発明の詳細な説明〕
本発明の販売促進支援用具の詳細を述べる。販売促進支援用具は、コンタクトレンズに関して述べる。しかし、当業者は本発明が他の医療用具、例えば経皮貼布、インプラント、カテーテル、内視鏡、コンドームなどに適用してもよいことを理解すべきである。
【０００６】
眼科用具、特にコンタクトレンズは潜在的なユーザーが頻繁に手に取る。このような多くのユーザーは、装着したことのあるレンズのみに基づいてコンタクトレンズを評価する。その一方で、潤滑性、柔軟性（softness）、可撓性（flexibility）、しなやかさ（suppleness）および／もしくは保水性などが大きく改良された特質を有する、新しいコンタクトレンズ材料が発表されている。本発明は、検眼士や眼科医の診断を必要とせずに、消費者がこれらの新しいレンズ材料もしくは新しいレンズ材料と同様の性質を有するサンプルを実感できるようにする伝達手段を提供する。本発明はまた、コンタクトレンズ製造業者が、レンズ材料サンプルを、シートもしくはフィルムの形で直接消費者に送る手段も提供するので、消費者はコンタクトレンズを入手せずに、レンズ材料の感触を評価することが可能である。本発明はさらに、製造業者が特殊な製品の特質（product attribute）を物理的に消費者に伝えるための搬送手段も提供する。
【０００７】
ここで用いる「レンズ」や「眼科用具」などの用語は、眼内または眼の表面に装着する用具を指す。これらの用具は、視力矯正、傷の手当、ドラッグデリバリー、診断機能性、審美的機能強化もしくは効能、またはこれらの特性の組み合わせについて支援することができる。レンズという用語は、ソフトコンタクトレンズおよびハードコンタクトレンズ、眼内レンズ、オーバーレイレンズ（overlay lenses）、接眼レンズ（ocular inserts）および光学的挿入物（optical inserts）を含むが、これらに限らない。
【０００８】
本発明の販売促進支援用具は小さなサンプルであり、もしくはコンタクトレンズ材料と実質的に同様の触感特性を有する実質的に平坦な高分子材料の材料見本である。材料見本は、消費者が手に取って扱うのに勝手がいい十分な大きさであれば、大きさは重要ではない。好ましくは、この材料見本の大きさは少なくともコンタクトレンズの大きさと同様である。より好ましくは、材料見本の面積は約１００ｍｍ2（例えば１０ｍｍ×１０ｍｍ）〜２０，０００ｍｍ2である。さらに好ましくは、材料見本の面積は約１００ｍｍ2〜約６，０００ｍｍ2である。一般的に材料見本は眼科用具と同様の厚さを有する。販売促進されている眼科用具がコンタクトレンズの場合、材料見本の厚さは約７０〜約２００μｍである。
【０００９】
材料見本はいかなる幾何学的形状であってもよい。通常の形状は正方形、長方形、卵形、円形、三角形などを含むが、これらに限らない。より好ましい実施例において、材料見本は鋭角端部を持たない。この他、材料見本はロゴ、単語や物体の輪郭など、様々な形状にカットしてもよい。
【００１０】
本発明の材料見本は消費者に直接配送されるので、その形状および構造がコンタクトレンズと容易に識別可能なことが重要である。したがって、本発明の材料見本は一般的にフィルムもしくはシートの形状であり、実質的に平坦である。ここで使用する「実質的に平坦である」とは、球状に湾曲あるいはくぼみ形状ではないことを意味する。球状湾曲は水平面から少なくとも約３０度カーブしている。本発明の材料見本は、全ての方向ではなく一方向にカールもしくはカーブしていてもよい。本発明の材料見本は、好ましくは約２０度より小さく、より好ましくは約１０度より小さく、さらに好ましくは水平面から約０度〜約５度のカールを示している。
【００１１】
本発明の材料見本は、触感特性がコンタクトレンズ材料もしくは販売促進される性質と実質的に同じであれば、様々な高分子化合物から形成されてもよい。材料見本は、（ａ）販売促進されるレンズと同じ材料、（ｂ）同じもしくは類似の構成要素を有する高分子化合物、もしくは（ｃ）完全に異なる高分子化合物、で作ることができる。例えば、もし販売促進されているコンタクトレンズがハイドロクリア（Hydraclear（商標））（ジョンソン・アンド・ジョンソン・ビジョンケア・インク（Johnson & Johnson Vision Care, Inc）から商業的に入手可能）を用いたアキュヴュー（Acuvue（登録商標））アドバンス（Advance（商標））ブランドのコンタクトレンズであれば、材料見本は、（ａ）ガリフィルコンＡ（galyfilcon A）（アキュヴュー（登録商標）・アドバンス（商標）・レンズを作る高分子化合物）、（ｂ）同様のシリコンヒドロゲル、もしくは（ｃ）販売促進されているものと同様の触感特性を持たせた、全く異なる高分子化合物、から作ることが可能である。例えばポリウレタン、ポリシロキサン、シリコン、ポリブタジエン、ポリイソプレン、ポリアミド、ポリオレフィン、アクリレート、ポリサッカライド、タイリン（Tyrin）のような塩素化ポリエチレン、ネオプレン（neoprene）のようなポリクロロプレン、ハイパロン（Hypalon）のようなクロロスルホン化ポリエチレン、バイトン（Viton）のようなフルオロエラストマー、ポリイソプレン、ポリイソブチレン、オレフィンの熱可塑性エラストマー、ポリエーテルブロックアミド、ポリブタジエンの熱可塑性エラストマー、ブロモブチルゴム、エピクロロヒドリンゴム、ニトリルゴム、および多硫化ゴム、およびこれらの共重合体もしくは混合物など、いかなるエラストマー材料を用いてもよい。これらのいくつかの好ましい例では、シロキサンおよびシリコン、アクリレート、メタクリルレート、Ｎ−ビニルラクタム、Ｎ−ビニルアミド、さらに、ポリエチレングリコール、ポリプロピレングリコールもしくはポリテトラエチレングリコールなどのポリエーテル、また、ポリラクトン（polylactones）などのポリエステル、ならびに、トリレンジイソシアネート、メチレンビス（フェニルイソシアネート）およびイソフォロンジイソシアネートなどのイソシアネート、を含むポリウレタンから形成されるハイドロゲルを含むが、これらに限らない。
【００１２】
特別な例として、エラスタン（Elasthane）もしくはペレセン（Pellethane）（ダウ・ケミカル社から商業的に入手可能）のような熱可塑性ポリウレタン、およびエラスチン（Elastin）（グッドイヤー社から商業的に入手可能）のようなポリエステルコポリマーを含むが、これらに限らない。
【００１３】
ここで用いる「触感特性」は、摩擦係数や引張応力（modulus）として表される潤滑性を含むが、これらに限らない。アキュヴューアドバンスブランドのコンタクトレンズが販売促進されるこの実施例では、材料見本の引張応力は約２．７５×１０5パスカル〜約６．８９×１０5パスカル（約４０〜１００ｐｓｉ）であり、より好ましくは約４．１３７×１０5パスカル〜約５．５１６×１０5パスカル（約６０〜約８０ｐｓｉ）で、摩擦係数は約０．０１より小さい。材料見本はまた、視覚的に透明であり、好ましくはＣＳＩレンズと比較して約３０％より低いヘイズ値（a haze value）を有する。材料見本は視覚的に薄い着色もしくは染料を有し、販売促進されているコンタクトレンズと同じもしくは実質的に同様の視覚的特性を材料見本へ与える。
【００１４】
ある実施例では、材料見本は新しい眼科用具の単一の特性を伝える伝達手段である。単一の特性の例として、潤滑性もしくは剛性などの触感特性、色、カラーパターンもしくは光互変性などの視覚的特性、を含むが、これらに限らない。また、複数の特性を伝えることも可能である。
【００１５】
ここで用いる「実質的に同じである」とは、消費者が手に取った場合、主観的に区別のつかないことを意味する。指の操作で判別可能な異なるレベルは、特性により変化する。
【００１６】
本発明の材料見本は、シートやフィルムを形成する通常知られる多くの方法を通じて作ることができる。このような方法は、直接成形、射出成形、押出成形、圧縮成形、熱成形、ブロー成形（射出および押出ブロー成形を含む）、押出加工、カレンダ加工、鋳込成形、真空成形、連続的なウエブ成形などを含むが、これらに限らない。それぞれの方法の条件は当業者によく知られており、通常は、型に、または、ダイスを通して、またはプレート、シートおよびウェブロールなどの上にもしくはそれらの間に、重合可能な成分の反応性の高い混合物を導き、この反応混合物を重合させる。重合の条件および方法は、反応混合物を作るために利用される成分によって変わる。一般的に重合は、ラジカル重合、縮合反応、陽イオンおよび陰イオン重合などのよく知られた条件を利用して行われ、熱、光（フリーラジカルビニル重合など）、酸（ナイロン、ルイス酸を使用できる陽イオン重合など）、塩基（ビニル化合物の陰イオン重合）、酸素などの気体の照射を含む。既知の開始剤、触媒作用および連鎖移動剤ならびに条件を利用することもできる。フィルムおよびシートが形成されると、望ましい材料見本の形状にカットすることができる。好ましい方法は既知であり、旋盤もしくはレーザーカッティング、ロールダイスカッティング（roll die cutting）、打ち抜き加工などを含む。
【００１７】
材料見本を作るための実用的なフィルムは、上記の既知の方法等を利用して、熱可塑性プラスチック、エラストマー、熱可塑性エラストマーおよび相互貫入網状組織などから形成可能である。
【００１８】
材料見本の材料のためのいくつかの望ましい特性は、少なくとも約２０％、好ましくは少なくとも３０％の含水量を有し、実質的に亀裂が入りにくく粘着性や接着性はない。製造を容易にするため、材料はロール上にすることが望ましく、乾燥状態における鋳造基材から剥がすようにしてもよい。
【００１９】
例えば、この用具がソフトコンタクトレンズである実施例において、材料見本はハイドロゲルから形成可能である。好ましいハイドロゲルは、（ＣＨ2＝ＣＲＯＸ（Ｒは水素もしくはＣ1-6アルキル基、Ｘは酸素もしくは窒素））型のモノマーを含む少なくとも１つのアクリル基、または（−Ｃ＝ＣＨ2）型のモノマーを含むビニル基から形成することができる。これらの例として、Ｎ，Ｎ−ジメチルアクリルアミド、２−ヒドロキシエチルメタクリルレート、グリセルメタクリルレート、２−ヒドロキシエチルメタクリルアミド、ポリエチレングリコールモノメタクリルレート、メタクリル酸、アクリル酸、ビニルアルコール、Ｎ−ビニルピロリドン、Ｎ−ビニル−Ｎ−メチルアセトアミド、Ｎ−ビニル−Ｎ−エチルアセトアミド、Ｎ−ビニル−Ｎ−エチルホルムアミド、Ｎ−ビニルホルムアミドなどがある。また、シリコン含有モノマー、プレポリマーおよびマクロマーならびに親水性ポリマーを含んでもよい。ある限定されない実施例において、用具は、２−ヒドロキシエチルメタアクリレート、Ｎ，Ｎ−ジメチルアクリルアミドを含む反応混合物から形成可能であり、任意で少なくとも１つのシリコンモノマー、ポリビニルピロリドン、もしくはこれらの混合物を含んでもよい。反応成分は他の望ましい成分と共に光開始剤、染料、顔料などの希釈剤中で混合され、透明感のある混合物を形成する。この混合物は例えばシート、織布もしくは板などの基板上に広げられて処理され、望ましい形状にカットされ、基板から取り外されるが、これらに限定されるものではない。
【００２０】
ソフトコンタクトレンズの例としての材料見本は、エタフィルコンＡ（etafilcon A）、ゲンフィルコンＡ（genfilcon A）、レンフィルコンＡ（lenefilcon A）、ポリマコン（polymacon）、アクアフィルコンＡ（aquafilcon A）、ガリフィルコンＡ（galyfilcon A）、セノフィルコンＡ（senofilcon A）、ヴィフィルコンＡ（vifilcon A）、バラフィルコンＡ（balafilcon A）、ロトラフィルコンＡ（lotrafilcon A）、ロトラフィルコンＢ（lotrafilcon B）などから形成してもよいが、これらに限定されない。好ましいコンタクトレンズは、エタフィルコンＡ、バラフィルコンＡ、アクアフィルコンＡ、ロトラフィルコンＡ、ロトラフィルコンＢ、ガリフィルコンＡおよびセノフィルコンＡなどから形成される。
【００２１】
販売促進されるべき眼科用具はソフトコンタクトレンズである場合、材料見本もソフトコンタクトレンズの触感特性を模倣するように親水性としてもよい。新彗星の材料見本が望ましい場合の実施例においては、材料見本の水分含有量は販売促進されるべきコンタクトレンズと同様もしくは異なってもよい。
【００２２】
さらに、本発明の材料見本は添加物を含んでもよい。添加物は湿潤剤もしくはフォトクロミック化合物など、医療機器で使用するものと同じもしくは異なっていてもよいが、販売促進されている医療機器と同様の特性が材料見本に与えられる。したがって材料見本が、ハイドロクリアを用いたアキュビューアドバンスブランドのコンタクトレンズのように、潤滑性が高められたコンタクトレンズを販売促進するために利用される場合、材料見本はポリビニルピロリドン（ＰＶＰ）を添加してもよい。好ましくは、コンタクトレンズに匹敵する潤滑特性を材料見本に与えるに十分な量のＰＶＰが存在することである。その量は材料見本のために選択されるポリマー次第である。好ましい量は、重量で約７５％まで含めてもよく、重量で約５%ないし７５％であり、より好ましくは重量で約１０％ないし約６０％である。
【００２３】
さらに、ＰＶＰによって材料見本に与えられた感覚を模倣するために、他の成分を材料見本のポリマー構成に加えることもできる。例えば、他の既知の湿潤剤を構成に加えてもよく、材料見本にコーティングするか材料見本を水和させる水に加えてもよい。また、別の物質、例えばヌルヌルする感触を物質に与えるために知られる界面活性剤、潤滑剤および乳白化剤など、これらに限らないが、コーティングや水和成分もしくは梱包のための溶液として利用することも可能である。
【００２４】
他の製品の特性も、その範囲や選択肢については、本発明の開示を利用すれば当業者に明らかとなるであろう。
【００２５】
この実施例では、材料見本を形成されるとすぐに水と接触させられる。水と接触させる方法は、例えば浸す、漬ける、噴霧する、塗布するおよびふき取るなどいかなる方法でもよい。
【００２６】
材料見本に加えて、本発明は、材料見本を格納するポーチもしくはパケットにも関する。材料見本が水和される実施例では、ポーチは耐水性とすべきである。ポーチは透明、半透明もしくは不透明であってもよい。ポーチの内部の寸法は材料見本よりも大きいが、大きすぎなければいかなる寸法であってもよい。また、材料が密封可能であり、水和物の材料見本を利用する場合に上記の状態で耐水性を持つならば、いかなる材料も利用可能である。好ましいポーチ材料は、マイラーフィルム、金属フィルム、金属フィルムラミネート、ポリエチレンもしくはポリプロピレンなどのプラスチック、もしくはワックスやプラスチックで裏打ちしたペーパーなどのラミネートを含む。好ましくは、ポーチ材料は印刷可能である。
【００２７】
ある実施例では、材料見本を形成してから水と共にポーチに入れる。この実施例で、材料見本はポーチの中で水和させる。
【００２８】
ポーチは、任意で、殺菌させてもよく、または殺菌剤もしくは静菌剤を含んでもよい。
【００２９】
ポーチは既知の方法で消費者に配布することができる。例えば、ポーチを含む材料見本はディスプレイに山積みにすることが可能なので、消費者はディスプレイからポーチ付きの材料見本を持っていくことができる。このようなディスプレイは小売業者によく知られており、通常図１に示すように販売用のディスプレイの部分を持つ。この視覚に訴えるディスプレイ１と、材料見本のポーチ３が入ったサンプル取り出し容器２を含む。この視覚ディスプレイは販売を促進させる製品の情報を含み、ディスプレイの種類によってサイズが決まる。通常の視覚ディスプレイのサイズは、机やテーブルの上、通路もしくはブースの端のディスプレイに合うように作られる。
【００３０】
材料見本のポーチはまた、直接消費者に配布してもよい。例えば、ポーチは雑誌の折り込み、絵葉書もしくは手紙に付けられてもよく、これによって消費者へ直接大量に送ることができる。折込や絵葉書は、コンタクトレンズに関する広告、販売促進のための情報や提案、医療情報、免責事項、およびこれらの組み合わせなどを含んでもよい。折込や絵葉書はまた、製造者への返信用ハガキ、更なる製品情報を送るための指示、もしくは消費者のためにレンズを処方する眼の専門家へ消費者の意識を向けさせることが可能である。
【００３１】
曇り具合（haze）は、水和したテストフィルムを、外界温度で透明の２０×４０×１０ｍｍのガラスセルの緩衝ホウ酸塩（borate buffered saline）に置き、平坦な黒の背景とし、下から光ファイバーの照明（チタンツールサプライ社の０．５インチの直径を有する光ファイバーライトガイドセットで電力を４ないし５．４にセット）を、サンプルセルへの法線が６６度の角度で当て、サンプルセルへの法線上のサンプルの画像をビデオカメラ（ナビター（Navitar）ＴＶ ZOOM７０００ズームレンズを備えたＤＶＣ１３００Ｃ：１９１３０ＲＧＢカメラ）で、サンプルのプラットホームの上１４ｍｍに置いて撮影することにより測定される。バックグラウンドスキャッターは、ＥＰＩＸ ＸＣＡＰ Ｖ１．０のソフトウエアを用いてブランクセルの画像を差し引くことで、サンプルのスキャッターから差し引かれる。差し引かれたスキャッターライトの画像は、サンプル中央の１０ｍｍの部分に統合することで定量的に分析され、任意でヘイズ値を１００にセットし、ヘイズ値を０にセットしたサンプルなしに、ジオプトリーが−１．００のＣＳＩ薄い（Ｔｈｉｎ）レンズ（登録商標）と比較する。５つのサンプルを分析し、基準のＣＳＩレンズの割合としてヘイズ値を出すためにその結果を平均化する。
【００３２】
コンタクトレンズの摩擦の動的係数は、ピン・オン・ディスク法（pin-on-disk）でサンプルをマウントし、ＵＭＴ−２のユニットモデルのマイクロ摩擦計、を使用して測定される。コンタクトレンズのサンプルは梱包溶液から取り出し、「ピン」の先端にレンズの中央がくるように、ピンの先端に置き、１０もしくは１５ｃｍ／秒の一定のスピードで移動する磨き上げたステンレススチールのディスクに押し付ける。負荷は３、５、１０および２０ｇを用いる。各負荷に対する継続時間は２５秒で、全ての測定は外界温度で行う。摩擦力の耐久性を測定し、摩擦係数を計算するために次の式、μ＝（Ｆ−ｆ’）／Ｎを利用する。
ここで、
μは、摩擦係数
Ｆは、測定された摩擦力で、ｆ＋ｆ’
ｆは、実際の摩擦力
ｆ’は、脱水および界面張力（dehydration and interfacial surface tension forces）、弾力性など、レンズの変形のための実験における不適切な影響（experimental artifacts）
Ｎは、通常負荷
である。
【００３３】
７枚のレンズが各レンズのタイプごとにテストされた。摩擦係数は平均化して記録された。フィルムサンプルの摩擦の動的係数は、上記の手順もしくは平坦なフィルムサンプルに適した類似の手順で測定することができる。
【００３４】
本発明を説明するために以下の例を含めるが、これらの例は本発明を限定するものではなく、本発明を実施する方法を提供するだけである。コンタクトレンズや他の専門性に精通した当業者は本発明の他の実施方法を見出すであろうが、それらの方法は本発明の範囲内と見なされる。
【００３５】
以下の略語は下記の例に使用される。
ＳｉＧＭＡ    ２−プロペン酸、２−メチル−，２−ヒドロキシ−３−［３−[１，３，３，３−テトラメチル−１−［（トリメチルシリル）オキシ］ジシロキサニル（disiloxanyl）］プロポキシ］プロピルエステル
ＤＭＡ        Ｎ，Ｎ−ジメチルアクリルアミド
ＨＥＭＡ      ２−ヒドロキシエチルメタクリレート
ｍＰＤＭＳ    ８００−１０００ＭＷ（Ｍｎ）モノメタクリルオキシプロピルで終端されたモノ−ｎ−ブチルで終端されたポリジメチルシロキサン
ＣＧＩ８１９  ビス（２，４，６−トリメチルベンゾイル）−フェニルホスフィンオキシド
ＰＶＰ        ポリ（Ｎ−ビニルピロリドン）（Ｋ値９０）
Glucamate ＤＯＥ−１２０    ポリ（オキシ−１，２−エタンジイル），アルファ−ヒドロ−オメガ−ヒドロキシ−，エーテルとメチルＤ−グルコピラノシド（D-glucopyranoside）２，６−ジ−９−オクタデセノエート（octadecenoate）（２：１），（Ｚ，Ｚ）−
【００３６】
〔例〕
表１に示す成分は透明溶液を作るために混合される。この粘り気のある混合物はガスケットで分離された２枚のガラスプレートの間の窒素雰囲気内に配置され、約０．４ＭＷ／cm2の入射強度を用いて２０分間蛍光電球（フィリップスＴＬ−０３）で照射することにより硬化される。ガラスプレートの１つは取り除かれ、９５度の水中、０．１％のグルカメート（Glucamate）（商標）ＤＯＥ−１２０界面活性剤の溶液中に、５〜１０分間フィルムを浸すことによってフィルムを解放した後、脱イオン水においてすすぎ、緩衝ホウ酸塩に置く。これらのシートは光学的に透明で弾力性を有し、滑らかな表面を持つ。これらのシートは所望の大きさの断片にカットすることができる。
【００３７】
【表１】
2008502005.tif 000002
【００３８】
〔実施の態様〕
（１）販売促進支援用具において、
医療用具の少なくとも1つの特徴（quality）に実質的に類似した少なくとも1つの特徴を有する、実質的に平坦なプラスチックフィルムサンプル、
を備えた、販売促進支援用具。
（２）実施態様１に記載の販売促進支援用具において、
前記フィルムサンプルは、鋭角端部を持たない、販売促進支援用具。
（３）実施態様１に記載の販売促進支援用具において、
前記フィルムサンプルの面積は、約１００ｍｍ2〜２０，０００ｍｍ2である、販売促進支援用具。
（４）実施態様１に記載の販売促進支援用具において、
前記フィルムサンプルの面積は、約１００ｍｍ2〜約６，０００ｍｍ2である、販売促進支援用具。
（５）実施態様１に記載の販売促進支援用具において、
前記フィルムサンプルの厚さは、前記医療用具と同様である、販売促進支援用具。
（６）実施態様１に記載の販売促進支援用具において、
前記フィルムサンプルの厚さは、約５０〜約３００μｍである、販売促進支援用具。
（７）実施態様１に記載の販売促進支援用具において、
前記フィルムサンプルは、水和されている、販売促進支援用具。
（８）実施態様１に記載の販売促進支援用具において、
前記医療用具は、眼科用具である、販売促進支援用具。
（９）実施態様８に記載の販売促進支援用具において、
前記医療用具は、コンタクトレンズである、販売促進支援用具。
（１０）実施態様１に記載の販売促進支援用具において、
前記フィルムサンプルを格納するポーチ、
をさらに備えた、販売促進支援用具。
（１１）実施態様８に記載の販売促進支援用具において、
前記ポーチは、雑誌の折り込み、絵葉書、もしくは手紙、に着脱可能に付けられた、販売促進支援用具。
（１２）実施態様８に記載の販売促進支援用具において、
複数の前記ポーチがディスプレイ装置に格納された、販売促進支援用具。
（１３）実施態様１に記載の販売促進支援用具において、
前記医療用具は、取扱規制の下で提供され、前記販売促進支援用具は、消費者に直接送られる、販売促進支援用具。
【図面の簡単な説明】
【００３９】
【図１】販売用ディスプレイの図である。
【国際調査報告】
2008502005.tif 000003
2008502005.tif 000004